(57)【要約】【課題】ハンドオーバ元無線基地局（Ｓｏｕｒｃｅ  ｅＮＢ）に対して、ハンドオーバ先無線基地局（Ｔａｒｇｅｔ  ｅＮＢ）と移動局ＵＥとの間の通信で用いられるセキュリティ鍵ＫｅＮＢを秘密にする。【解決手段】本発明に係る移動通信方法は、ハンドオーバ元無線基地局が、交換局を介して、ハンドオーバ先無線基地局に対して、第１パラメータを含むハンドオーバ要求を送信する工程Ａと、交換局が、ハンドオーバ先無線基地局に対して、自身が生成した第２パラメータをハンドオーバ要求に含めて送信する工程Ｂと、ハンドオーバ先無線基地局が、第１パラメータ或いは第２パラメータのどちらかを用いて第１鍵を生成する工程Ｃと、ハンドオーバ先セルにおいて、移動局とハンドオーバ先無線基地局との間で第１鍵を用いて通信を開始する工程Ｄとを有する。【選択図】図３
2010074801.tif 000002
【特許請求の範囲】
【請求項１】
移動局が、ハンドオーバ元無線基地局配下のハンドオーバ元セルからハンドオーバ先無線基地局配下のハンドオーバ先セルにハンドオーバする移動通信方法であって、
前記ハンドオーバ元無線基地局が、交換局を介して、前記ハンドオーバ先無線基地局に対して、第１パラメータを含むハンドオーバ要求を送信する工程Ａと、
前記交換局が、前記ハンドオーバ先無線基地局に対して、自身が生成した第２パラメータを前記ハンドオーバ要求に含めて送信する工程Ｂと、
前記ハンドオーバ先無線基地局が、前記第１パラメータ或いは前記第２パラメータのどちらかを用いて第１鍵を生成する工程Ｃと、
前記ハンドオーバ先セルにおいて、前記移動局と前記ハンドオーバ先無線基地局との間で前記第１鍵を用いて通信を開始する工程Ｄとを有することを特徴とする移動通信方法。
【請求項２】
前記工程Ｃにおいて、前記ハンドオーバ先無線基地局は、前記ハンドオーバ要求に前記第２パラメータが含まれていた場合には、該第２パラメータを用いて前記第１鍵を生成することを特徴とする請求項１に記載の移動通信方法。
【請求項３】
前記工程Ｂにおいて、前記交換局は、前記ハンドオーバ先無線基地局に対して、前記第１パラメータ又は前記第２パラメータのいずれかを示す識別情報を前記ハンドオーバ要求に含めて送信し、
前記工程Ｃにおいて、前記ハンドオーバ先無線基地局は、前記識別情報によって示されている前記第１パラメータ又は前記第２パラメータを用いて前記第１鍵を生成することを特徴とする請求項１に記載の移動通信方法。
【発明の詳細な説明】
【技術分野】
【０００１】
本発明は、移動局が、ハンドオーバ元無線基地局配下のハンドオーバ元セルからハンドオーバ先無線基地局配下のハンドオーバ先セルにハンドオーバする移動通信方法に関する。
【背景技術】
【０００２】
図１に示すように、ＬＴＥ（Ｌｏｎｇ  Ｔｅｒｍ  Ｅｖｏｌｕｔｉｏｎ）方式の移動通信システムでは、移動局ＵＥが、ハンドオーバ元無線基地局（Ｓｏｕｒｃｅ  ｅＮＢ）からハンドオーバ先無線基地局（Ｔａｒｇｅｔ  ｅＮＢ）にハンドオーバする際に、ハンドオーバ元無線基地局（Ｓｏｕｒｃｅ  ｅＮＢ）は、事前に、ハンドオーバ準備処理（Ｈａｎｄｏｖｅｒ  Ｐｒｅｐａｒａｔｉｏｎ）において、当該移動局ＵＥの「ＵＥ  ｃｏｎｔｅｘｔ」を、ハンドオーバ先無線基地局（Ｔａｒｇｅｔ  ｅＮＢ）に送信するように構成されている。
【０００３】
ここで、「ＵＥ  ｃｏｎｔｅｘｔ」には、「ＡＳ（Ａｃｃｅｓｓ  Ｓｔｒａｔｕｍ）」の「ｓｅｃｕｒｉｔｙ  ｐｒｏｔｅｃｔｉｏｎ（ｃｉｐｈｅｒｉｎｇ及びｉｎｔｅｇｒｉｔｙ  ｐｒｏｔｅｃｔｉｏｎ）」に必要な「ｓｅｃｕｒｉｔｙ  ｃｏｎｔｅｘｔ」が含まれる。
【０００４】
ＡＳの「ｓｅｃｕｒｉｔｙ  ｐｒｏｔｅｃｔｉｏｎ」は、無線基地局ｅＮＢと移動局ＵＥとの間で共通に用いられるセキュリティ鍵ＫｅＮＢを用いて行われる。
【０００５】
なお、ハンドオーバ処理において、ハンドオーバ元無線基地局（Ｓｏｕｒｃｅ  ｅＮＢ）は、ハンドオーバ先無線基地局（Ｔａｒｇｅｔ  ｅＮＢ）に対して、セキュリティ鍵ＫｅＮＢそのものではなく、セキュリティ鍵ＫｅＮＢ、或いは、事前に交換局ＭＭＥから取得している「ＮＨ（Ｎｅｘｔ  Ｈｏｐ）」というパラメータから派生された「ＫｅＮＢ＊」というパラメータを転送するように構成されている。
【非特許文献１】３ＧＰＰ  ＴＳ３３．４０１  ｖ８．０．０
【発明の開示】
【発明が解決しようとする課題】
【０００６】
しかしながら、従来の移動通信システムでは、ハンドオーバ先無線基地局（Ｔａｒｇｅｔ  ｅＮＢ）と移動局ＵＥとの間の通信で用いられるセキュリティ鍵ＫｅＮＢが、ハンドオーバ元無線基地局（Ｓｏｕｒｃｅ  ｅＮＢ）によって通知されるパラメータＮＨ又はＫｅＮＢ＊によって所定規則（ＫＤＦ：Ｋｅｙ  Ｄｅｒｉｖａｔｉｏｎ  Ｆｕｎｃｔｉｏｎ）に基づいて生成されるため、ハンドオーバ元無線基地局（Ｓｏｕｒｃｅ  ｅＮＢ）が、かかるセキュリティ鍵ＫｅＮＢを知ることができ、セキュリティ上、脆弱となるという問題点があった。
【０００７】
そこで、本発明は、上述の課題に鑑みてなされたものであり、ハンドオーバ元無線基地局（Ｓｏｕｒｃｅ  ｅＮＢ）に対して、ハンドオーバ先無線基地局（Ｔａｒｇｅｔ  ｅＮＢ）と移動局ＵＥとの間の通信で用いられるセキュリティ鍵ＫｅＮＢを秘密にすることが可能な移動通信方法を提供することを目的とする。
【課題を解決するための手段】
【０００８】
本発明の第１の特徴は、移動局が、ハンドオーバ元無線基地局配下のハンドオーバ元セルからハンドオーバ先無線基地局配下のハンドオーバ先セルにハンドオーバする移動通信方法であって、前記ハンドオーバ元無線基地局が、交換局を介して、前記ハンドオーバ先無線基地局に対して、第１パラメータを含むハンドオーバ要求を送信する工程Ａと、前記交換局が、前記ハンドオーバ先無線基地局に対して、自身が生成した第２パラメータを前記ハンドオーバ要求に含めて送信する工程Ｂと、前記ハンドオーバ先無線基地局が、前記第１パラメータ或いは前記第２パラメータのどちらかを用いて第１鍵を生成する工程Ｃと、前記ハンドオーバ先セルにおいて、前記移動局と前記ハンドオーバ先無線基地局との間で前記第１鍵を用いて通信を開始する工程Ｄとを有することを要旨とする。
【０００９】
本発明の第１の特徴において、前記工程Ｃにおいて、前記ハンドオーバ先無線基地局は、前記ハンドオーバ要求に前記第２パラメータが含まれていた場合には、該第２パラメータを用いて前記第１鍵を生成してもよい。
【００１０】
本発明の第１の特徴において、前記工程Ｂにおいて、前記交換局は、前記ハンドオーバ先無線基地局に対して、前記第１パラメータ又は前記第２パラメータのいずれかを示す識別情報を前記ハンドオーバ要求に含めて送信し、前記工程Ｃにおいて、前記ハンドオーバ先無線基地局は、前記識別情報によって示されている前記第１パラメータ又は前記第２パラメータを用いて前記第１鍵を生成してもよい。
【発明の効果】
【００１１】
以上説明したように、本発明によれば、ハンドオーバ先無線基地局（Ｔａｒｇｅｔ  ｅＮＢ）と移動局ＵＥとの間の通信で用いられるセキュリティ鍵ＫｅＮＢを秘密にすることが可能な移動通信方法を提供することができる。
【発明を実施するための最良の形態】
【００１２】
（本発明の第１の実施形態に係る移動通信システム）
図１乃至図５を参照して、本発明の第１の実施形態に係る移動通信システムについて説明する。図１に示すように、本実施形態に係る移動通信システムは、ＬＴＥ方式の移動通信システムである。
【００１３】
本実施形態では、移動局ＵＥが、ハンドオーバ元無線基地局（Ｓｏｕｒｃｅ  ｅＮＢ）配下のハンドオーバ元セル（セル＃０）からハンドオーバ先無線基地局（Ｔａｒｇｅｔ  ｅＮＢ）配下のハンドオーバ先セル（セル＃１）にハンドオーバするケースを挙げながら、本実施形態に係る移動通信システムについて説明する。
【００１４】
図２に示すように、ハンドオーバ先無線基地局（Ｔａｒｇｅｔ  ｅＮＢ）は、ハンドオーバ処理において、ハンドオーバ元無線基地局（Ｓｏｕｒｃｅ  ｅＮＢ）から通知されたパラメータ（第１パラメータ）ＫｅＮＢ＊に基づいて、ハンドオーバ先セル（セル＃１）において移動局ＵＥとの間の通信（ＡＳの「ｓｅｃｕｒｉｔｙ  ｐｒｏｔｅｃｔｉｏｎ」）で用いるセキュリティ鍵（第１鍵）ＫｅＮＢを生成するように構成されている。
【００１５】
なお、ハンドオーバ先無線基地局（Ｔａｒｇｅｔ  ｅＮＢ）は、ハンドオーバ処理において、ハンドオーバ元無線基地局（Ｓｏｕｒｃｅ  ｅＮＢ）から通知されたパラメータ（第１パラメータ）ＫｅＮＢ＊及びハンドオーバ先セル（セル＃１）において移動局ＵＥに対して割り当てられる識別子Ｃ-ＲＮＴＩ（Ｃｅｌｌ-Ｒａｄｉｏ  Ｎｅｔｗｏｒｋ  Ｔｅｍｐｏｒａｒｙ  ＩＤ）に基づいて、ハンドオーバ先セル（セル＃１）において移動局ＵＥとの間の通信（ＡＳの「ｓｅｃｕｒｉｔｙ  ｐｒｏｔｅｃｔｉｏｎ」）で用いるセキュリティ鍵（第１鍵）ＫｅＮＢを生成するように構成されていてもよい。
【００１６】
ここで、パラメータＫｅＮＢ＊は、ハンドオーバ元無線基地局（Ｓｏｕｒｃｅ  ｅＮＢ）によって、ハンドオーバ元セル（セル＃０）においてハンドオーバ元無線基地局（Ｓｏｕｒｃｅ  ｅＮＢ）と移動局ＵＥとの間の通信で用いられている第１鍵及びハンドオーバ先セル（セル＃１）の物理セル識別情報ＰＣＩに基づいて生成されるものである。
【００１７】
或いは、パラメータＫｅＮＢ＊は、ハンドオーバ元無線基地局（Ｓｏｕｒｃｅ  ｅＮＢ）によって、パラメータＮＨ及びハンドオーバ先セル（セル＃１）の物理セル識別情報ＰＣＩに基づいて生成されるものである。
【００１８】
なお、パラメータＮＨは、交換局ＭＭＥによって鍵ＫＡＳＭＥを用いて生成され、ハンドオーバ元無線基地局（Ｓｏｕｒｃｅ  ｅＮＢ）に通知されているものである。
【００１９】
以下、図３乃至図５を参照して、本発明の第１の実施形態に係る移動通信システムにおいて、移動局ＵＥが、ハンドオーバ元無線基地局（Ｓｏｕｒｃｅ  ｅＮＢ）配下のハンドオーバ元セル（セル＃０）からハンドオーバ先無線基地局（Ｔａｒｇｅｔ  ｅＮＢ）配下のハンドオーバ先セル（セル＃１）にハンドオーバするケースにおける動作について説明する。
【００２０】
図３に示すように、ステップＳ１００１において、移動局ＵＥは、現在通信中のセル（セル＃０）を管理するハンドオーバ元無線基地局（Ｓｏｕｒｃｅ  ｅＮＢ）に対して、「ＲＲＣ  Ｍｅａｓｕｒｅｍｅｎｔ  Ｒｅｐｏｒｔ（測定報告）」を送信する。
【００２１】
ステップＳ１００２において、ハンドオーバ元無線基地局（Ｓｏｕｒｃｅ  ｅＮＢ）は、移動局ＵＥを、ハンドオーバ先無線基地局（Ｔａｒｇｅｔ  ｅＮＢ）配下のハンドオーバ先セル（セル＃１）に対してハンドオーバさせることを決定し、セル＃０における移動局ＵＥとの間の通信で使用しているセキュリティ鍵ＫｅＮＢ及びハンドオーバ先セル（セル＃１）の物理セル識別情報ＰＣＩに基づいて、パラメータＫｅＮＢ＊を算出する。
【００２２】
或いは、ステップＳ１００２において、ハンドオーバ元無線基地局（Ｓｏｕｒｃｅ  ｅＮＢ）は、移動局ＵＥを、ハンドオーバ先無線基地局（Ｔａｒｇｅｔ  ｅＮＢ）配下のハンドオーバ先セル（セル＃１）に対してハンドオーバさせることを決定し、パラメータＮＨ及びハンドオーバ先セル（セル＃１）の物理セル識別情報ＰＣＩに基づいて、パラメータＫｅＮＢ＊を算出する。
【００２３】
ステップＳ１００３において、ハンドオーバ元無線基地局（Ｓｏｕｒｃｅ  ｅＮＢ）は、ハンドオーバ元交換局（Ｓｏｕｒｃｅ  ＭＭＥ）に対して、かかるパラメータＫｅＮＢ＊及びカウンタＮＣＣを含む「Ｓ１-ＡＰ：ＨＯ  Ｒｅｑｕｉｒｅｄ」を送信する。
【００２４】
ステップＳ１００４において、ハンドオーバ元交換局（Ｓｏｕｒｃｅ  ＭＭＥ）は、ハンドオーバ先交換局（Ｔａｒｇｅｔ  ＭＭＥ）に対して、かかるパラメータＫｅＮＢ＊及びカウンタＮＣＣ（Ｎｅｘｔ  ｈｏｐ  Ｃｈａｉｎｉｎｇ  Ｃｏｕｎｔ）を含む「Ｒｅｌｏｃａｔｉｏｎ  Ｒｅｑｕｅｓｔ」を送信する。
【００２５】
ここで、ハンドオーバ元交換局（Ｓｏｕｒｃｅ  ＭＭＥ）及びハンドオーバ先交換局（Ｔａｒｇｅｔ  ＭＭＥ）は、同一の交換局であってもよい。
【００２６】
ステップＳ１００５において、ハンドオーバ先交換局（Ｔａｒｇｅｔ  ＭＭＥ）は、ハンドオーバ先無線基地局（Ｔａｒｇｅｔ  ｅＮＢ）がセキュリティ鍵を生成する際に、ハンドオーバ元無線基地局（Ｓｏｕｒｃｅ  ｅＮＢ）によって生成されたパラメータＫｅＮＢ＊を使用させるのか、或いは、ハンドオーバ先交換局（Ｔａｒｇｅｔ  ＭＭＥ）が生成するパラメータＮＨ１を使用させるのかについて決定する。
【００２７】
ハンドオーバ先交換局（Ｔａｒｇｅｔ  ＭＭＥ）は、ハンドオーバ先交換局（Ｔａｒｇｅｔ  ＭＭＥ）が生成するパラメータＮＨ１を使用させると判断した場合、鍵ＫＡＳＭＥを用いて、任意のカウンタＮＣＣ（Ｎｅｘｔ  ｈｏｐ  Ｃｈａｉｎｉｎｇ  Ｃｏｕｎｔ）に対応する２つのパラメータＮＨ１及びＮＨ２を生成する。
【００２８】
ここで、パラメータＮＨ１は、今回のハンドオーバ完了後に直ちに使用されるパラメータであり、パラメータＮＨ２は、次回のハンドオーバ時にＫｅＮＢ＊を算出するために備えて通知されるパラメータである。
【００２９】
なお、上述のパラメータＫｅＮＢ＊は、Ｓ１-ＡＰにおける「Ｔｒａｎｓｐａｒｅｎｔ  Ｃｏｎｔａｉｎｅｒ」として送信されているため、ハンドオーバ元交換局（Ｓｏｕｒｃｅ  ＭＭＥ）及びハンドオーバ先交換局（Ｔａｒｇｅｔ  ＭＭＥ）は、上述のパラメータＫｅＮＢ＊を知ることができない。
【００３０】
一方、上述のカウンタＮＣＣは、Ｓ１-ＡＰにおける一情報要素として送信されるため、ハンドオーバ元交換局（Ｓｏｕｒｃｅ  ＭＭＥ）及びハンドオーバ先交換局（Ｔａｒｇｅｔ  ＭＭＥ）は、上述のカウンタＮＣＣを知ることができる。なお、かかるカウンタＮＣＣと同一のカウンタＮＣＣが、Ｓ１-ＡＰにおける「Ｔｒａｎｓｐａｒｅｎｔ  Ｃｏｎｔａｉｎｅｒ」内に含まれていてもよい。
【００３１】
ステップＳ１００６において、ハンドオーバ先交換局（Ｔａｒｇｅｔ  ＭＭＥ）は、かかるパラメータＮＨ１及びＮＨ２が追加された「Ｓ１-ＡＰ：ＨＯ  Ｒｅｑｕｅｓｔ」を、ハンドオーバ先無線基地局（Ｔａｒｇｅｔ  ｅＮＢ）に対して送信する。
【００３２】
ここで、図４に、かかる「Ｓ１-ＡＰ：ＨＯ  Ｒｅｑｕｅｓｔ」の情報要素の一例を示す。図４に示す「Ｓ１-ＡＰ：ＨＯ  Ｒｅｑｕｅｓｔ」の情報要素は、３ＧＰＰ規格ＴＳ３５.４１３  Ｖ８.３.０に準拠している情報要素に、「ＫｅＮＢ  Ｄｅｒｉｖａｔｉｏｎ  Ｉｎｆｏ」という情報要素が追加されているものである。
【００３３】
例えば、「ＫｅＮＢ  Ｄｅｒｉｖａｔｉｏｎ  Ｉｎｆｏ」は、図５に示すように、「ＮＣＣ１」と、「Ｎｅｘｔ  Ｈｏｐ  ｐａｒａｍｅｔｅｒ  １」と、「ＮＣＣ２」と「Ｎｅｘｔ  Ｈｏｐ  ｐａｒａｍｅｔｅｒ  ２」とによって構成されている。
【００３４】
ここで、「Ｎｅｘｔ  Ｈｏｐ  ｐａｒａｍｅｔｅｒ  １」には、上述のＮＨ１が設定され、「ＮＣＣ１」には、ＮＨ１に対応するＮＣＣが設定され、「Ｎｅｘｔ  Ｈｏｐ  ｐａｒａｍｅｔｅｒ  ２」には、上述のＮＨ２が設定され、「ＮＣＣ２」には、ＮＨ２に対応するＮＣＣが設定される。
【００３５】
なお、図５に示す「ＫｅＮＢ  Ｄｅｒｉｖａｔｉｏｎ  Ｉｎｆｏ」では、「ＮＣＣ１」及び「Ｎｅｘｔ  Ｈｏｐ  ｐａｒａｍｅｔｅｒ  １」が「Ｏｐｔｉｏｎ」であり、「ＮＣＣ２」及び「Ｎｅｘｔ  Ｈｏｐ  ｐａｒａｍｅｔｅｒ  ２」が「Ｍａｎｄａｔｏｒｙ」であってもよいし、全ての情報要素が「Ｍａｎｄａｔｏｒｙ」であってもよい。
【００３６】
或いは、図５に示す「ＫｅＮＢ  Ｄｅｒｉｖａｔｉｏｎ  Ｉｎｆｏ」では、「Ｎｅｘｔ  Ｈｏｐ  ｐａｒａｍｅｔｅｒ  １」が「Ｏｐｔｉｏｎ」であり、「ＮＣＣ１」、「ＮＣＣ２」及び「Ｎｅｘｔ  Ｈｏｐ  ｐａｒａｍｅｔｅｒ  ２」が「Ｍａｎｄａｔｏｒｙ」であってもよい。
【００３７】
また、「ＫｅＮＢ  Ｄｅｒｉｖａｔｉｏｎ  Ｉｎｆｏ」は、図６に示すように、「ＮＣＣ１」と、「Ｎｅｘｔ  Ｈｏｐ  ｐａｒａｍｅｔｅｒ  １」と、「ＮＣＣ２」と「Ｎｅｘｔ  Ｈｏｐ  ｐａｒａｍｅｔｅｒ  ２」と、「Ｃｏｎｔｅｘｔ  Ｔｏ  Ｂｅ  Ｕｓｅｄ  Ｉｎｄｉｃａｔｏｒ」とによって構成されていてもよい。
【００３８】
ここで、「Ｃｏｎｔｅｘｔ  Ｔｏ  Ｂｅ  Ｕｓｅｄ  Ｉｎｄｉｃａｔｏｒ」には、パラメータＫｅＮＢ＊又はパラメータＮＨ１のいずれかを示す識別情報が設定される。なお、図６に示す「ＫｅＮＢ  Ｄｅｒｉｖａｔｉｏｎ  Ｉｎｆｏ」では、全ての情報要素が「Ｍａｎｄａｔｏｒｙ」である。
【００３９】
なお、図６に示す「ＫｅＮＢ  Ｄｅｒｉｖａｔｉｏｎ  Ｉｎｆｏ」では、「ＮＣＣ１」及び「Ｎｅｘｔ  Ｈｏｐ  ｐａｒａｍｅｔｅｒ  １」は「Ｏｐｔｉｏｎ」であってもよい。
【００４０】
ステップＳ１００７において、ハンドオーバ先無線基地局（Ｔａｒｇｅｔ  ｅＮＢ）は、ハンドオーバ先交換局（Ｔａｒｇｅｔ  ＭＭＥ）に対して「Ｓ１-ＡＰ：ＨＯ  Ｒｅｑｕｅｓｔ  Ａｃｋ」を送信する。
【００４１】
このとき、ハンドオーバ先無線基地局（Ｔａｒｇｅｔ  ｅＮＢ）は、移動局ＵＥに対して送信すべき「ＲＲＣ  ＨＯ  Ｃｏｍｍａｎｄ」を作成し、上述の「Ｓ１-ＡＰ：ＨＯ  Ｒｅｑｕｅｓｔ  Ａｃｋ」に含めて「ＲＲＣ  ＨＯ  Ｃｏｍｍａｎｄ」をハンドオーバ先交換局（Ｔａｒｇｅｔ  ＭＭＥ）に対して送信する。
【００４２】
かかる「ＲＲＣ  ＨＯ  Ｃｏｍｍａｎｄ」には、カウントＮＣＣが含まれる。かかるカウントＮＣＣは、ハンドオーバ先交換局（Ｔａｒｇｅｔ  ＭＭＥ）から「Ｓ１-ＡＰ：ＨＯ  Ｒｅｑｕｅｓｔ」にて通知された「ＮＨ１」及び「Ｓ１-ＡＰ：ＨＯ  Ｒｅｑｕｅｓｔ」内の「Ｔｒａｎｓｐａｒｅｎｔ  Ｃｏｎｔａｉｎｅｒ」で通知された「ＫｅＮＢ＊」のどちらを用いたかに応じて、「ＮＣＣ１」の値、或いは、「Ｔｒａｎｓｐａｒｅｎｔ  Ｃｏｎｔａｉｎｅｒ」に含まれるカウンタＮＣＣの値が設定される。或いは、図５において、「ＮＣＣ１」が「Ｍａｎｄａｔｏｒｙ」の場合は、「ＮＣＣ１」の値が常に設定されてもよい。
【００４３】
ステップＳ１００８において、ハンドオーバ先無線基地局（Ｔａｒｇｅｔ  ｅＮＢ）は、「Ｓ１-ＡＰ：ＨＯ  Ｒｅｑｕｅｓｔ」に含まれているパラメータ（第１パラメータ）ＫｅＮＢ＊或いはパラメータ（第２パラメータ）ＮＨ１のどちらかを用いてセキュリティ鍵（第１鍵）ＫｅＮＢを生成する。
【００４４】
ここで、ハンドオーバ先無線基地局（Ｔａｒｇｅｔ  ｅＮＢ）は、「Ｓ１-ＡＰ：ＨＯ  Ｒｅｑｕｅｓｔ」にパラメータＮＨ１が含まれている場合には、「Ｓ１-ＡＰ：ＨＯ  Ｒｅｑｕｅｓｔ」に含まれていたパラメータＮＨ１と、ハンドオーバ先セル（セル＃１）の物理識別情報ＰＣＩとに基づいて、セキュリティ鍵ＫｅＮＢを生成する。
【００４５】
例えば、ハンドオーバ先無線基地局（Ｔａｒｇｅｔ  ｅＮＢ）は、図５に示す「ＫｅＮＢ  Ｄｅｒｉｖａｔｉｏｎ  Ｉｎｆｏ」の情報要素「Ｎｅｘｔ  Ｈｏｐ  ｐａｒａｍｅｔｅｒ  １」及び「ＮＣＣ１」が設定されている場合には、パラメータＮＨ１を用いてセキュリティ鍵ＫｅＮＢを生成する。
【００４６】
また、ハンドオーバ先無線基地局（Ｔａｒｇｅｔ  ｅＮＢ）は、図６に示す「ＫｅＮＢ  Ｄｅｒｉｖａｔｉｏｎ  Ｉｎｆｏ」の情報要素「Ｃｏｎｔｅｘｔ  Ｔｏ  Ｂｅ  Ｕｓｅｄ  Ｉｎｄｉｃａｔｏｒ」にパラメータＮＨ１の識別情報が設定されている場合には、パラメータＮＨ１を用いてセキュリティ鍵ＫｅＮＢを生成する。
【００４７】
なお、かかる場合、ハンドオーバ先無線基地局（Ｔａｒｇｅｔ  ｅＮＢ）は、「Ｓ１-ＡＰ：ＨＯ  Ｒｅｑｕｅｓｔ」に含まれていたパラメータＮＨ１と、ハンドオーバ先セル（セル＃１）の物理識別情報ＰＣＩと、ハンドオーバ先セル（セル＃１）において移動局ＵＥに対して割り当てられる識別子Ｃ-ＲＮＴＩとに基づいて、セキュリティ鍵ＫｅＮＢを生成してもよい。
【００４８】
一方、ハンドオーバ先無線基地局（Ｔａｒｇｅｔ  ｅＮＢ）は、「Ｓ１-ＡＰ：ＨＯ  Ｒｅｑｕｅｓｔ」にパラメータＮＨ１が含まれていない場合には、「Ｓ１-ＡＰ：ＨＯ  Ｒｅｑｕｅｓｔ」の中の「Ｔｒａｎｓｐａｒｅｎｔ  Ｃｏｎｔａｉｎｅｒ」に含まれていたパラメータＫｅＮＢ＊に基づいて、セキュリティ鍵ＫｅＮＢを生成する。
【００４９】
例えば、ハンドオーバ先無線基地局（Ｔａｒｇｅｔ  ｅＮＢ）は、図５に示す「ＫｅＮＢ  Ｄｅｒｉｖａｔｉｏｎ  Ｉｎｆｏ」の情報要素「Ｎｅｘｔ  Ｈｏｐ  ｐａｒａｍｅｔｅｒ  １」又は「ＮＣＣ１」が設定されていない場合には、パラメータＫｅＮＢ＊を用いてセキュリティ鍵ＫｅＮＢを生成する。
【００５０】
また、ハンドオーバ先無線基地局（Ｔａｒｇｅｔ  ｅＮＢ）は、図６に示す「ＫｅＮＢ  Ｄｅｒｉｖａｔｉｏｎ  Ｉｎｆｏ」の情報要素「Ｃｏｎｔｅｘｔ  Ｔｏ  Ｂｅ  Ｕｓｅｄ  Ｉｎｄｉｃａｔｏｒ」にパラメータＫｅＮＢ＊の識別情報が設定されている場合には、パラメータＫｅＮＢ＊を用いてセキュリティ鍵ＫｅＮＢを生成する。
【００５１】
なお、かかる場合、ハンドオーバ先無線基地局（Ｔａｒｇｅｔ  ｅＮＢ）は、「Ｓ１-ＡＰ：ＨＯ  Ｒｅｑｕｅｓｔ」の中の「Ｔｒａｎｓｐａｒｅｎｔ  Ｃｏｎｔａｉｎｅｒ」に含まれていたパラメータＫｅＮＢ＊及びハンドオーバ先セル（セル＃１）において移動局ＵＥに対して割り当てられる識別子Ｃ-ＲＮＴＩに基づいて、セキュリティ鍵ＫｅＮＢを生成してもよい。
【００５２】
ステップＳ１００９において、ハンドオーバ先交換局（Ｔａｒｇｅｔ  ＭＭＥ）は、ハンドオーバ元交換局（Ｓｏｕｒｃｅ  ＭＭＥ）に対して、「Ｒｅｌｏｃａｔｉｏｎ  Ｒｅｑｕｅｓｔ  Ａｃｋ」を送信する。
【００５３】
このとき、ハンドオーバ先交換局（Ｔａｒｇｅｔ  ＭＭＥ）は、「Ｓ１-ＡＰ：ＨＯ  Ｒｅｑｕｅｓｔ  Ａｃｋ」に含まれていた「ＲＲＣ  ＨＯ  Ｃｏｍｍａｎｄ」を、「Ｒｅｌｏｃａｔｉｏｎ  Ｒｅｑｕｅｓｔ  Ａｃｋ」に含めて送信する。
【００５４】
ステップＳ１０１０において、ハンドオーバ元交換局（Ｓｏｕｒｃｅ  ＭＭＥ）は、ハンドオーバ元無線基地局（Ｓｏｕｒｃｅ  ｅＮＢ）に対して、「Ｓ１-ＡＰ：ＨＯ  Ｒｅｑｕｉｒｅｄ  Ａｃｋ」を送信する。
【００５５】
このとき、ハンドオーバ元交換局（Ｓｏｕｒｃｅ  ＭＭＥ）は、「Ｒｅｌｏｃａｔｉｏｎ  Ｒｅｑｕｅｓｔ  Ａｃｋ」に含まれていた「ＲＲＣ  ＨＯ  Ｃｏｍｍａｎｄ」を、「Ｓ１-ＡＰ：ＨＯ  Ｒｅｑｕｉｒｅｄ  Ａｃｋ」に含めて送信する。
【００５６】
ステップＳ１０１１において、ハンドオーバ元無線基地局（Ｓｏｕｒｃｅ  ｅＮＢ）は、移動局ＵＥに対して、「ＲＲＣ  ＨＯ  Ｃｏｍｍａｎｄ」を送信する。
【００５７】
ステップＳ１０１２において、移動局ＵＥは、「ＲＲＣ  ＨＯ  Ｃｏｍｍａｎｄ」に含まれているハンドオーバ先セル（セル＃１）において、前記「ＲＲＣ  ＨＯ  Ｃｏｍｍａｎｄ」に含まれているカウンタＮＣＣに基づいて、パラメータ（所定パラメータ）ＫｅＮＢ＊を生成し、かかるパラメータＫｅＮＢ＊を用いて、セキュリティ鍵（第１鍵）ＫｅＮＢを生成する。
【００５８】
なお、パラメータＫｅＮＢ＊は、カウンタＮＣＣに基づいて、パラメータＮＨ或いはハンドオーバ元セルにおける通信で用いられていた第１鍵ＫｅＮＢのどちらか一方、及び、「ＲＲＣ  ＨＯ  Ｃｏｍｍａｎｄ」に含まれているハンドオーバ先セル（セル＃１）の物理識別情報ＰＣＩに基づいて生成されるものである。
【００５９】
パラメータＮＨは、「ＲＲＣ  ＨＯ  Ｃｏｍｍａｎｄ」に含まれているカウンタＮＣＣに相当するものが、移動局ＵＥが保持している鍵ＫＡＳＭＥに基づき移動局ＵＥ内部にて生成される。
【００６０】
ステップＳ１０１３において、移動局ＵＥは、ハンドオーバ先無線基地局（Ｔａｒｇｅｔ  ｅＮＢ）に対して、「ＲＲＣ  ＨＯ  Ｃｏｍｐｌｅｔｅ」を送信し、ステップＳ１０１４において、ハンドオーバ先無線基地局（Ｔａｒｇｅｔ  ｅＮＢ）は、ハンドオーバ先交換局（Ｔａｒｇｅｔ  ＭＭＥ）に対して、「Ｓ１-ＡＰ：ＨＯ  Ｃｏｍｐｌｅｔｅ」を送信する。
【００６１】
ステップＳ１０１５において、ハンドオーバ先交換局（Ｔａｒｇｅｔ  ＭＭＥ）は、ハンドオーバ元交換局（Ｓｏｕｒｃｅ  ＭＭＥ）に対して、「Ｒｅｌｏｃａｔｉｏｎ  Ｃｏｍｐｌｅｔｅ」を送信し、ステップＳ１０１６において、ハンドオーバ元交換局（Ｓｏｕｒｃｅ  ＭＭＥ）は、ハンドオーバ先交換局（Ｔａｒｇｅｔ  ＭＭＥ）に対して、「Ｒｅｌｏｃａｔｉｏｎ  Ｃｏｍｐｌｅｔｅ  Ａｃｋ」を送信する。
【００６２】
なお、ハンドオーバ先セル（セル＃１）において、移動局ＵＥとハンドオーバ先無線基地局（Ｔａｒｇｅｔ  ｅＮＢ）との間では、ステップＳ１００８及びステップＳ１０１２において生成されたセキュリティ鍵（第１鍵）ＫｅＮＢを用いた通信が行われる。
【００６３】
（本発明の第１の実施形態に係る移動通信システムの作用・効果）
本実施形態に係る移動通信システムによれば、ハンドオーバ元無線基地局（Ｓｏｕｒｃｅ  ｅＮＢ）によって生成されたパラメータＫｅＮＢ＊の代わりに、交換局ＭＭＥによって生成されたパラメータＮＨ１を用いて、ハンドオーバ先セルにおける移動局ＵＥとハンドオーバ先無線基地局（Ｔａｒｇｅｔ  ｅＮＢ）との間での通信に用いられるセキュリティ鍵ＫｅＮＢを生成することができるため、システムのセキュリティ強度を向上させることができる。
【００６４】
特に、ハンドオーバ元無線基地局（Ｓｏｕｒｃｅ  ｅＮＢ）が、フェムトセル用（ホームセル用）無線基地局のように、通信事業者以外によって設置されるものである場合に、本実施形態に係る移動通信システムによる効果が顕著となる。
【００６５】
なお、上述の移動局ＵＥや無線基地局ｅＮＢや交換局ＭＭＥの動作は、ハードウェアによって実施されてもよいし、プロセッサによって実行されるソフトウェアモジュールによって実施されてもよいし、両者の組み合わせによって実施されてもよい。
【００６６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢや交換局ＭＭＥ内に設けられていてもよい。また、かかる記憶媒体及びプロセッサは、ディスクリートコンポーネントとして移動局ＵＥや無線基地局ｅＮＢや交換局ＭＭＥ内に設けられていてもよい。
【００６８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００６９】
【図１】本発明の第１の実施形態に係る移動通信システムの全体構成図である。
【図２】本発明の第１の実施形態に係る移動通信システムにおいて鍵ＫｅＮＢを更新する様子を示す図である。
【図３】本発明の第１の実施形態に係る移動通信システムにおけるハンドオーバ動作について示すシーケンス図である。
【図４】本発明の第１の実施形態に係る移動通信システムで用いられる「ＨＯ  Ｒｅｑｕｅｓｔ」に含まれる情報要素の一例について説明するための図である。
【図５】本発明の第１の実施形態に係る移動通信システムで用いられる「ＨＯ  Ｒｅｑｕｅｓｔ」に含まれる情報要素「ＫｅＮＢ  ｄｅｒｉｖａｔｉｏｎ  ｉｎｆｏ」に含まれる情報要素の一例について説明するための図である。
【図６】本発明の第１の実施形態に係る移動通信システムで用いられる「ＨＯ  Ｒｅｑｕｅｓｔ」に含まれる情報要素「ＫｅＮＢ  ｄｅｒｉｖａｔｉｏｎ  ｉｎｆｏ」に含まれる情報要素の一例について説明するための図である。
【符号の説明】
【００７０】
ＵＥ…移動局
Ｓｏｕｒｃｅ  ｅＮＢ…ハンドオーバ元無線基地局
Ｔａｒｇｅｔ  ｅＮＢ…ハンドオーバ元無線基地局
ＭＭＥ…交換局
【図１】
2010074801.tif 000003
【図２】
2010074801.tif 000004
【図３】
2010074801.tif 000005
【図４】
2010074801.tif 000006
【図５】
2010074801.tif 000007
【図６】
2010074801.tif 000008
【手続補正書】
【提出日】平成21年9月15日(2009.9.15)
【手続補正１】
【補正対象書類名】特許請求の範囲
【補正対象項目名】全文
【補正方法】変更
【補正の内容】
【特許請求の範囲】
【請求項１】
移動局が、ハンドオーバ元無線基地局配下のハンドオーバ元セルからハンドオーバ先無線基地局配下のハンドオーバ先セルにハンドオーバする移動通信方法であって、
前記ハンドオーバ元無線基地局が、交換局を介して、前記ハンドオーバ先無線基地局に対して、通信鍵を作るための第１パラメータを含むハンドオーバ要求を送信する工程Ａと、
前記交換局が、前記ハンドオーバ先無線基地局に対して、自身が生成した通信鍵を作るための第２パラメータを前記ハンドオーバ要求に含めて送信する工程Ｂと、
前記ハンドオーバ先無線基地局が、前記第１パラメータ或いは前記第２パラメータのどちらかを用いて通信鍵を生成する工程Ｃと、
前記ハンドオーバ先セルにおいて、前記移動局と前記ハンドオーバ先無線基地局との間で前記通信鍵を用いて通信を開始する工程Ｄとを有することを特徴とする移動通信方法。
【請求項２】
前記工程Ｃにおいて、前記ハンドオーバ先無線基地局は、前記ハンドオーバ要求に前記第２パラメータが含まれていた場合には、該第２パラメータを用いて前記通信鍵を生成することを特徴とする請求項１に記載の移動通信方法。
【請求項３】
前記工程Ｂにおいて、前記交換局は、前記ハンドオーバ先無線基地局に対して、前記第１パラメータ又は前記第２パラメータのいずれかを示す識別情報を前記ハンドオーバ要求に含めて送信し、
前記工程Ｃにおいて、前記ハンドオーバ先無線基地局は、前記識別情報によって示されている前記第１パラメータ又は前記第２パラメータを用いて前記通信鍵を生成することを特徴とする請求項１に記載の移動通信方法。
【請求項４】
移動局が、ハンドオーバ元無線基地局配下のハンドオーバ元セルからハンドオーバ先無線基地局配下のハンドオーバ先セルにハンドオーバする移動通信方法において、ハンドオーバ先無線基地局として機能する無線基地局であって、
交換局を介して、ハンドオーバ元基地局から、ハンドオーバ要求により、通信鍵を作るための第１パラメータを受信すると共に、該ハンドオーバ要求に含まれる該交換局で生成された通信鍵を作るための第２パラメータを受信するように構成されている受信部と、
前記ハンドオーバ要求に前記第２パラメータが含まれていた場合には、該第２パラメータを用いて前記通信鍵を生成するように構成されている生成部とを具備することを特徴とする無線基地局。